(57)【要約】【課題】電気通信事業者(telecom operators)によって利用可能であり、これにより、新たなサービスを開始する可能性が提供される。【解決手段】ＲＦＩＤリーダ８０と、識別／認証モジュール（ＳＩＭカード９０）とを有する携帯電話６０によって読み取られる、トランスポンダ（ＲＦＩＤタグ４０）に関する情報を取得するための方法及びシステム。ＲＦＩＤリーダがＲＦＩＤタグ４０からデータを読み取ると、識別子及びコンテンツデータは処理され、かつ、ローカルネットワークに、ＲＦＩＤタグ４０にリンクされた補足情報のさらなる処理及び配信のために送信される。ＳＩＭカードはＷＬＡＮ送信機を有し、識別子の送信はＷＬＡＮを介して行なわれる。【選択図】  図１
2008544687.tif 000002
【特許請求の範囲】
【請求項１】
識別タグ（４０）を備えた対象物（３０）に関する補足情報を取得するために、携帯電話（６０）を用いるための方法であって、
ローカルＷＬＡＮネットワークを介して利用可能な情報処理サーバ（２０）であって前記携帯電話（６０）の電気通信事業者（１１０）と通信するための手段を有する情報処理サーバ（２０）に、前記携帯電話（６０）内のＳＩＭカード（９０）に組み込まれたアクティブＷＬＡＮ手段（１００）から信号を送信することにより、前記携帯電話（６０）の存在及び識別をブロードキャストするステップと、
前記電気通信事業者（１１０）から前記携帯電話（６０）に提示され、利用可能な情報取得サービスを受け入れるかを前記携帯電話（６０）のユーザに尋ねるリクエストを受信するステップと、サービスが受け入れられた場合には、
前記携帯電話（６０）内の無線周波数(radio frequency)識別タグリーダ（８０）を活性化するステップを含み、前記対象物（３０）に関する補足情報を取得できるように前記携帯電話（６０）を再構成するステップと、
前記無線周波数識別タグリーダ（８０）を用いて、前記携帯電話（６０）に近接する識別タグ（４０）から識別子情報を読み取るステップと、
前記ローカルＷＬＡＮネットワークを介して、前記情報処理サーバ（２０）に前記識別子情報を送信するステップと、
前記ＷＬＡＮネットワークを介して、前記識別タグ（４０）を備えた前記対象物（３０）に関する補足情報を、前記携帯電話（６０）上に受信するステップとを有することを特徴とする方法。
【請求項２】
前記存在及び識別をブロードキャストする信号は、ＳＩＭカードに固有のパラメータを含むことを特徴とする請求項１に記載の方法。
【請求項３】
前記携帯電話（６０）の再構成は、前記電気通信事業者（１１０）から受信される指示に従って行われることを特徴とする請求項１記載の方法。
【請求項４】
識別タグ（４０）を備えた対象物（３０）に関する補足情報を取得するために、携帯電話（６０）を用いるためのシステム（１０）であって、
ローカルＷＬＡＮネットワークを介して利用可能な情報処理サーバ（２０）であって前記携帯電話（６０）の電気通信事業者（１１０）と通信するための手段を有する情報処理サーバ（２０）に、前記携帯電話（６０）内のＳＩＭカード（９０）に組み込まれたアクティブＷＬＡＮ手段（１００）から信号を送信することにより、前記携帯電話（６０）の存在及び識別をブロードキャストする手段と、
前記電気通信事業者（１１０）から前記携帯電話（６０）に提示され、利用可能な情報取得サービスを受け入れるかを前記携帯電話（６０）のユーザに尋ねるリクエストを受信する手段と、
前記携帯電話（６０）内の無線周波数(radio frequency)識別タグリーダ（８０）を活性化する手段を含み、前記対象物（３０）に関する補足情報を取得できるように前記携帯電話（６０）を再構成する手段と、
前記無線周波数識別タグリーダ（８０）を用いて、前記携帯電話（６０）に近接する識別タグ（４０）から識別子情報を読み取る手段と、
前記ローカルＷＬＡＮネットワークを介して、前記情報処理サーバ（２０）に前記識別子情報を送信する手段と、
前記ＷＬＡＮネットワークを介して、前記識別タグ（４０）を備えた前記対象物（３０）に関する補足情報を、前記携帯電話（６０）上に受信するステップとを有することを特徴とするシステム（１０）。
【請求項５】
処理装置と、メモリ装置と、Ｉ／Ｏ装置と、無線通信装置とを有する、携帯電話（６０）用のＳＩＭカード（９０）であって、無線周波数識別タグリーダ（８０）と通信するための手段をさらに有することを特徴とするＳＩＭカード（９０）。
【請求項６】
前記無線周波数識別タグリーダ（８０）は、前記Ｉ／Ｏ装置を介して前記無線通信装置によって与えられる信号により制御されて、動作可能あるいは動作不能とされるように構成されたことを特徴とする請求項５に記載のＳＩＭカード（９０）。
【請求項７】
請求項４に記載の前記システムに用いられることを特徴とする請求項５乃至６のいずれかに記載のＳＩＭカード（９０）。
【請求項８】
請求項５乃至７のいずれかに記載のＳＩＭカード（９０）を有することを特徴とする携帯電話（６０）。
【発明の詳細な説明】
【技術分野】
【０００１】
本発明は、無線通信の分野に関する。本発明は、特に、タグ付けされた対象物に関する補足情報にアクセスするためのタグの識別に関する。本発明は、上記情報にアクセスするためのいくつかの技術を組み合わせた方法及びシステムを説明するものである。電気通信と、ＷＬＡＮと、無線周波数識別とを組み合わせることによって、新規且つフレキシブルな方法及びシステムが達成される。
【０００２】
本発明は、各種の目的、例えば、博物館ガイド、旅行ガイド、非接触決済システム、無線セキュリティ及び認証や、スマートオブジェクトなどに適している。
【背景技術】
【０００３】
無線周波数識別(radio frequency identification)（ＲＦＩＤ）は、識別タグにデータを格納し、そこから取り出すための技術である。ＲＦＩＤタグは、ＲＦＩＤリーダから近距離で、照会し、読み出すことができる。
【０００４】
携帯電話に関連するＲＦＩＤ技術は、ソニーフェリカ技術から始まり、フィリップスとソニーが最近、ノキアと共同で、ＮＦＣ（Near Field Communication（近接型通信））フォーラムを設立した。このフォーラムでは、ＮＦＣ技術の実現と標準化を推進する。
【０００５】
これまでのほとんどのシナリオでは、携帯電話機はタグの担体(bearers)であり、一方、ＲＦＩＤリーダは固定されていた。ＮＦＣ技術は、両者ともにアクティブリーダおよびパッシブタグとなり得る可能性を持つ。このことは、携帯電話機内にＲＦＩＤリーダを内蔵する可能性を広げ、タグを固定化し、電話機及びリーダを移動可能とする可能性を与える。
【０００６】
非接触決済、無線セキュリティ及び認証等の分野において、携帯電話のためのＲＦＩＤ技術を展開する公知のシステムは、通信が発生すべき、静止固定位置（コンタクトポイント）にアクティブＲＦＩＤリーダを配置する。このことは、すべてのコンタクトポイントにおけるアクティブＲＦＩＤリーダというインフラを必要とする。アクティブＲＦＩＤリーダのコストは、パッシブタグよりも著しく高い。したがって、シナリオによっては、パッシブＲＦＩＤタグを用いたほうが有利である。
【発明の開示】
【発明が解決しようとする課題】
【０００７】
本発明は、用途が多数のコンタクトポイントを必要とし、且つ、携帯端末に設けたアクティブＲＦＩＤリーダと、コンタクトポイントとしてのパッシブタグを用いることが有利である場合のシナリオに取り組むものである。
【０００８】
一例として、ルーブルでは、約２９０００点の美術品が展示されている。美術品１点ずつにアクティブＲＦＩＤリーダではなくパッシブＲＦＩＤタグを付けたほうが費用効果が高い。
【０００９】
本発明は、電気通信、ＲＦＩＤ、ＷＬＡＮ、及びＳＩＭカード技術を統合するものである。タグを付けた対象物に関する補足情報にアクセスするための手段としてのＷＬＡＮの利用を導入することにより、本システムのユーザは、より費用効果の高い、より高速のサービスを体験することになる。
【００１０】
携帯電話ネットワークを介する代わりに、ローカルＷＬＡＮインフラにタグ情報を送信することによって、本システムのユーザは、より迅速な応答を得て、局所的にサービスを制御することができる。
【００１１】
本発明は、ＷＬＡＮを組み込んだＳＩＭカード専用回路を有するＳＩＭカードと、電話機に設けたアクティブＲＦＩＤリーダ回路からなる。タグは、ＲＦＩＤリーダによって読み取られ、その情報は、ＳＩＭカード上に組み込まれたＷＬＡＮ送信機を用いて、ＷＬＡＮネットワークに送信される。
【００１２】
通信処理は、ＳＩＭカード上で行われるため、ローカルＷＬＡＮサービスの課金(billing)を行うことができる。
【００１３】
本発明は、電気通信事業者(telecom operators)によって利用可能であり、これにより、新たなサービスを開始する可能性が提供される。
【課題を解決するための手段】
【００１４】
本発明は、ＲＦＩＤリーダ技術を用いた携帯電話と、ＷＬＡＮ手段を組み込んだＳＩＭカードを用いることによって、情報にアクセスする各種の態様を網羅する。
【００１５】
第一の態様によれば、本発明は、識別タグを備えた対象物に関する補足情報を取得するために、携帯電話を用いるための新規な方法を確立する。本方法は、下記のステップ、すなわち、
ローカルＷＬＡＮネットワークを介して利用可能な情報処理サーバであって前記携帯電話の電気通信事業者と通信するための手段を有する情報処理サーバに、前記携帯電話内のＳＩＭカードに組み込まれたアクティブＷＬＡＮ手段から信号を送信することにより、前記携帯電話の存在及び識別をブロードキャストするステップと、
前記電気通信事業者から前記携帯電話に提示され、利用可能な情報取得サービスを受け入れるかを前記携帯電話のユーザに尋ねるリクエストを受信するステップと、サービスが受け入れられた場合には、
前記携帯電話内の無線周波数識別タグリーダを活性化するステップを含み、前記対象物に関する補足情報を取得できるように前記携帯電話を再構成するステップと、
前記無線周波数識別タグリーダを用いて、前記携帯電話に近接する識別タグから識別子情報を読み取るステップと、
ＳＩＭカード上の読取情報を処理するステップと、
ＳＩＭカードに内蔵されたＷＬＡＮを介して前記ローカルＷＬＡＮネットワークに向けて、前記情報処理サーバに前記識別子情報を送信するステップと、
前記ローカルＷＬＡＮネットワークを介して、前記識別タグを備えた前記対象物に関する補足情報を、前記携帯電話上に受信するステップとを有することを特徴とする。
【００１６】
第二の態様によれば、本発明は、識別タグを備えた対象物に関する補足情報を取得するために、携帯電話を用いるためのシステムを説明し、ここで本システムは、上記方法を実行するための手段を有する。
【発明の効果】
【００１７】
上記の目的は、請求項に記載の方法と、システムと、装置とによって達成される。
【発明を実施するための最良の形態】
【００１８】
以下、本発明について、添付図面を参照して詳細に説明する。
【００１９】
図１は、本発明によるシステムの概略図を示し、
図２は、本発明の使用例を説明するフローチャートを示す。
【００２０】
上述のように、本発明は、ＳＩＭカードと、ＲＦＩＤシステムと、ＷＬＡＮシステムとを携帯電話システムに統合させ、これにより、携帯電話のための新たな用途及びサービスの市場を広げる。
【００２１】
ＳＩＭカードをアクティブＲＦＩＤリーダ／インタロゲータ(interrogator)及びＷＬＡＮ送信機と統合することにより、多くの新たな可能性が導き出される。
【００２２】
システムの視点から見ると、加入者識別モジュール（Subscriber Identity Module）（ＳＩＭ）カードは、ＧＳＭネットワークにおける、Ａ３及びＡ８アルゴリズムと、ＩＭＳＩ（International Mobile Subscriber Identity（国際移動電話加入者識別番号））と、加入者認証キー（Subscriber Authentication Key）（Ｋｉ）を保有するデバイスである。これらのキー及びアルゴリズムは、ＧＳＭネットワークにおいて、認証及び識別のために用いられる。ＳＩＭカードに連携してＲＦＩＤリーダ／インタロゲータを導入することにより、個々の新たな無線インターフェース上での認証及び識別のためのＳＩＭカードのタスクを遂行する。これにより、事業者と、第三者開発者と、コンテンツ／サービス配信会社が、このようなサービスに対して課金を行うことが可能となる。
【００２３】
ＧＳＭアーキテクチャ及びＳＩＭカードの利点の一つは、ＳＩＭカードをある携帯電話から別の携帯電話に移すことができるということである。ＳＩＭカード上にＷＬＡＮ送信機を設けることにより、ユーザにとってアップグレードが非常に簡単になり、ＳＩＭカードが「パーソナル」デバイスとなる。物理的ブラウジングの概念に関連付ければ、ＲＦＩＤタグのインフラ及びサービス配信用のＷＬＡＮインフラに向けて、ユーザを認証し承認することができる。
【００２４】
本発明は、携帯電話内のＲＦＩＤリーダ／インタロゲータを制御するＳＩＭカードを開示する。これにより、ＲＦＩＤに基づいた用途及びサービスを、ユーザあるいは電気通信事業者主導で開始することができる。すなわち、サービスは、ＧＳＭネットワーク内の携帯電話の位置を用いることによって、ＲＦＩＤサービスを開始することができる。
【００２５】
図１は、識別タグにリンクされた対象物に関する補足情報にアクセスするために構成された本発明のシステムを示す。
【００２６】
本システムは、限定されたエリア１０内に、少なくとも１つの対象物３０を含み、これには、対象物３０の識別を可能にする識別タグ４０が設けられている。
【００２７】
本システムは、対象物３０に関連する補足情報を格納し処理するためのローカルＷＬＡＮサーバ２０をさらに有する。
【００２８】
本システムを用いるために、ユーザに情報を提示するためのディスプレイ７０を有する携帯電話６０は、ＷＬＡＮ手段１００が組み込まれたＳＩＭカード９０をさらに備える。
【００２９】
本システムの重要な特徴は、携帯電話６０に組み込まれたＲＦＩＤリーダ８０である。これにより、識別タグ４０から情報を読み取ることが可能となる。
【００３０】
ＲＦＩＤリーダ８０が識別タグ４０から識別(identification)を読み取ると、識別は、ＳＩＭカード９０に組み込まれたＷＬＡＮ手段１００を介して送信され、これにより、ローカルＷＬＡＮサーバ２０からの補足情報の要求が可能になる。
【００３１】
本システムは、また、携帯電話６０のアンテナ５０を介して携帯電話６０と通信する携帯電話センター１１０を有し、携帯電話６０のネットワーク事業者が、利用したサービスに対して請求することを可能とする。これについては、さらに、以下に説明する。
【００３２】
以下に、本システムをどのように用いることができるかについての一例を説明する。
【００３３】
図２は、本発明によるシステムの使用例を説明するフローチャートを示す。これは、本システムの概念のうちのいくつかを説明することを目的とした唯一のシナリオに過ぎない。当業者であれば、本発明を、複数の他の実施例に用い得ることが理解されよう。
【００３４】
限定されたエリア１０内の「博物館ガイド」サービスの加入者が、限定されたエリア１０に向かって歩いている。１）に示すように、博物館のローカルＷＬＡＮネットワーク２０が、ＳＩＭカード９０上のアクティブＷＬＡＮ１００を検出し、加入者リスト上にこのユーザが存在する。２）に示すように、「博物館サービス」は、携帯電話センター１１０を介して、このサービスのために携帯電話６０を再構成するよう電気通信事業者に要求することによって、サービスの開始プロセスを起動させる。
【００３５】
３）及び４）に示されるように、ユーザが承認すると、彼／彼女は、新しい設定が作動する前に承認を求めるウェルカムメッセージとともに、事業者から携帯電話の新規の構成を受け取る。新規の構成には、ＲＦＩＤリーダ８０の起動、新たなテーマの付加、コンテンツ配信のためのＷＬＡＮ設定の調整、顧客への課金などを含むことができる。
【００３６】
５）に示すように、サービスの加入者が絵画の方に歩いていき、絵画に近接したパッシブＲＦＩＤタグに向かって携帯電話をかざすと、識別子と、場合によってはコンテンツデータを含むタグが読み取られる６）。この情報は、７）において処理され、８）に示すように、ＳＩＭカードがそのローカルＷＬＡＮ１００を用いて、ＷＬＡＮサーバ２０に識別子を送信することが可能となる。９）に示すように、ＷＬＡＮサーバ２０は、事業者により制御されるＷＬＡＮネットワークを介して、加入者に補足コンテンツを配信して応答する。
【００３７】
好ましい実施形態において、ＲＦＩＤリーダ８０は、携帯電話６０、例えば、ＷＬＡＮ回路１００を組み込んだＳＩＭカード９０と、ＲＦＩＤリーダ８０と通信するための手段を有する携帯電話内に設けられる。
【００３８】
他の実施形態において、ＲＦＩＤリーダ８０は、ＷＬＡＮ回路１００とともにＳＩＭカード９０上に組み込まれる。
【００３９】
単一のＳＩＭカード上にＷＬＡＮ回路及びＳＩＭ専用回路を組み込むことは、物理的な大きさ及びアンテナ構造の観点からは問題をもたらすものであるが、工夫した構造によって実現可能である。
【００４０】
現在のＧＳＭ電話機に用いられるＳＩＭカードは、ＥＴＳＩ  ＴＳ  １０２  ２２１スマートカード；ＵＩＣＣ−端末インターフェース；物理的及び論理的特性に規定された外形寸法１５×２５×１ｍｍを有する（リリース６）。
【００４１】
Ｔｅｌｅｎｏｒは、既に、ＳＩＭカード上にＷＬＡＮ回路を実現している。タグとの通信を行うＲＦＩＤリーダと通信し、データ転送を容易にするための回路を付加することにより、ＳＩＭカードは、はるかにフレキシブルになる。ＲＦＩＤリーダ／インタロゲータは、信号処理や、パリティエラーチェック及び訂正や、復号アルゴリズムや、再送信制御などの機能を実行するものでなければならない。
【００４２】
ＳＩＭカード９０と携帯電話６０間の通信は、標準ＳＩＭカード（３ＧＰＰ標準）に関して変わらない。ＳＩＭカードプログラミングを用いることにより、携帯電話６０から、ＲＦＩＤリーダ８０と相互作用することができる。このことは、リーダのオン／オフの切り替えを可能にし、これにより、携帯電話ネットワークから携帯サービスを有効化／無効化することが可能となる。
【図面の簡単な説明】
【００４３】
【図１】本発明によるシステムの概略図を示す。
【図２】本発明の使用例を説明するフローチャートを示す。
【図１】
2008544687.tif 000003
【図２】
2008544687.tif 000004
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
識別タグ（４０）を備えた対象物（３０）に関する補足情報を取得するために、携帯電話（６０）を用いるための方法であって、
ローカルＷＬＡＮネットワークを介して利用可能な情報処理サーバ（２０）であって前記携帯電話（６０）の電気通信事業者（１１０）と通信するための手段を有する情報処理サーバ（２０）に、前記携帯電話（６０）内のＳＩＭカード（９０）に組み込まれたアクティブＷＬＡＮ手段（１００）から信号を送信することにより、前記携帯電話（６０）の存在及び識別をブロードキャストするステップと、
前記電気通信事業者（１１０）から前記携帯電話（６０）に提示され、利用可能な情報取得サービスを受け入れるかを前記携帯電話（６０）のユーザに尋ねるリクエストを受信するステップと、サービスが受け入れられた場合には、
前記携帯電話（６０）内の無線周波数(radio frequency)識別タグリーダ（８０）を活性化するステップを含み、前記対象物（３０）に関する補足情報を取得できるように前記携帯電話（６０）を再構成するステップと、
前記無線周波数識別タグリーダ（８０）を用いて、前記携帯電話（６０）に近接する識別タグ（４０）から識別子情報を読み取るステップと、
前記ローカルＷＬＡＮネットワークを介して、前記情報処理サーバ（２０）に前記識別子情報を送信するステップと、
前記ＷＬＡＮネットワークを介して、前記識別タグ（４０）を備えた前記対象物（３０）に関する補足情報を、前記携帯電話（６０）上に受信するステップとを有することを特徴とする方法。
【請求項２】
前記存在及び識別をブロードキャストする信号は、ＳＩＭカードに固有のパラメータを含むことを特徴とする請求項１に記載の方法。
【請求項３】
前記携帯電話（６０）の再構成は、前記電気通信事業者（１１０）から受信される指示に従って行われることを特徴とする請求項１記載の方法。
【請求項４】
識別タグ（４０）を備えた対象物（３０）に関する補足情報を取得するために、携帯電話（６０）を用いるためのシステム（１０）であって、
ローカルＷＬＡＮネットワークを介して利用可能な情報処理サーバ（２０）であって前記携帯電話（６０）の電気通信事業者（１１０）と通信するための手段を有する情報処理サーバ（２０）に、前記携帯電話（６０）内のＳＩＭカード（９０）に組み込まれたアクティブＷＬＡＮ手段（１００）から信号を送信することにより、前記携帯電話（６０）の存在及び識別をブロードキャストする手段と、
前記電気通信事業者（１１０）から前記携帯電話（６０）に提示され、利用可能な情報取得サービスを受け入れるかを前記携帯電話（６０）のユーザに尋ねるリクエストを受信する手段と、
前記携帯電話（６０）内の無線周波数(radio frequency)識別タグリーダ（８０）を活性化する手段を含み、前記対象物（３０）に関する補足情報を取得できるように前記携帯電話（６０）を再構成する手段と、
前記無線周波数識別タグリーダ（８０）を用いて、前記携帯電話（６０）に近接する識別タグ（４０）から識別子情報を読み取る手段と、
前記ローカルＷＬＡＮネットワークを介して、前記情報処理サーバ（２０）に前記識別子情報を送信する手段と、
前記ＷＬＡＮネットワークを介して、前記識別タグ（４０）を備えた前記対象物（３０）に関する補足情報を、前記携帯電話（６０）上に受信するステップとを有することを特徴とするシステム（１０）。
【請求項５】
処理装置と、メモリ装置と、Ｉ／Ｏ装置と、ＷＬＡＮ手段（１００）とを有する、携帯電話（６０）用のＳＩＭカード（９０）であって、前記携帯電話（６０）に設置された無線周波数識別タグリーダ（８０）を再構成し、これと情報を交換するための制御及び通信手段をさらに有することを特徴とするＳＩＭカード（９０）。
【請求項６】
前記無線周波数識別タグリーダ（８０）は、前記Ｉ／Ｏ装置を介して前記制御及び通信手段によって与えられる信号により制御されて、動作可能あるいは動作不能とされるように構成されたことを特徴とする請求項５に記載のＳＩＭカード（９０）。
【請求項７】
請求項４に記載の前記システムに用いられることを特徴とする請求項５乃至６のいずれかに記載のＳＩＭカード（９０）。
【請求項８】
請求項５乃至７のいずれかに記載のＳＩＭカード（９０）を有することを特徴とする携帯電話（６０）。
【国際調査報告】
2008544687.tif 000005
2008544687.tif 000006
2008544687.tif 000007